(57)【要約】【課題】排水凹部に黴を発生させ難くする。【解決手段】施工空間Ｒに接する施工表面１ａ，２ａと、施工空間Ｒで生じた水分を排水する排水凹部５，６を備え、排水凹部５，６に排気路１２，２０を連通させたこと。排水凹部５を覆い部で覆い、覆い部に設けた開口部２８，２９，３８，３９で施工空間Ｒと排水凹部５を連通させる。      【効果】施工空間Ｒから排水凹部５，６へ移動した空気が、排水凹部５，６を通過して排気路１２へ排出される間に、濡れている排水凹部５，６を乾燥させ、黴の発生を抑制できる。【選択図】図１
2005336752.tif 000002
【特許請求の範囲】
【請求項１】
施工空間に接する施工表面と、施工空間で生じた水分を排水する排水凹部を備えた施工部構造において、前記排水凹部に排気路を連通させたことを特徴する施工構造。
【請求項２】
前記排水凹部を覆い部で覆い、該覆い部に設けた開口部で前記施工空間と前記排水凹部を連通させた請求項１記載の施工構造。
【請求項３】
前記覆い部が隣接する面材で形成され、隣接する面材の間に設けられる間隙で前記開口部を形成した請求項２記載の施工構造。
【請求項４】
前記施工面を床面とし、前記排水凹部を溝状とした請求項１，２又は３記載の施工構造。
【請求項５】
排水勾配を設けた前記排水凹部の下流側に、前記排気路を連通させた請求項４記載の施工構造。
【請求項６】
前記施工面が壁面であり、前記施工表面に前記開口部を分散させた請求項２又は３記載の施工構造。
【発明の詳細な説明】
【技術分野】
【０００１】
本発明は、屋内又は屋外の床面や壁面等を形成する施工構造に関するものである。
【背景技術】
【０００２】
従来、施工構造の一例である浴室の床構造には、防水パンからなる下地部に複数枚のタイルを敷設し、隣接するタイルの間に形成した隙間部より下方に位置する下地部の部分に、隙間部に通じる溝状の排水凹部を設け、床面にかかった水を隙間部から排水凹部へ導いて排出するようにしたものがある（特許文献１）。
【特許文献１】特開平９−２２８４３９号公報
【発明の開示】
【発明が解決しようとする課題】
【０００３】
しかし、前記床構造は、排水凹部が乾燥しにくいため、黴が発生して不衛生となることがある。殊に、前者の床構造の場合には、タイル間の隙間部の幅寸法が踏んでも痛くない３〜５ｍｍと狭いため、タイル表面側から排水凹部を頻繁に清掃にすることが困難である。
【０００４】
そこで、本発明は、排水凹部に黴を発生させ難くできる施工構造を提供するものである。
【課題を解決するための手段】
【０００５】
排水凹部に黴を発生させ難くするために請求項１記載の本発明が採用した手段は、施工空間に接する施工表面と、施工空間で生じた水分を排水する排水凹部を備えた施工部構造において、前記排水凹部に排気路を連通させたことを特徴する施工構造である。
本発明にあっては、施工空間から排水凹部へ移動した空気が、排水凹部を通過して排気路へ排出される間に、濡れている排水凹部を乾燥させることができる。
【０００６】
施工空間から排水凹部を見え難くして見栄えよくするために請求項２記載の本発明が採用した手段は、前記排水凹部を覆い部で覆い、該覆い部に設けた開口部で前記施工空間と前記排水凹部を連通させた請求項１記載の施工構造である。
本発明にあっては、排水凹部を開口部付きの覆い部で覆うことで、施工空間から排水凹部を見え難くなる。また、施工空間から覆い部の開口部を介して排水凹部へ移動する空気で該開口部の側面を乾燥させることができる。
【０００７】
覆い部を面材で形成するときに面材の割り付けをし易くするために請求項３記載の本発明が採用した手段は、前記覆い部が隣接する面材で形成され、隣接する面材の間に設けられる間隙で前記開口部を形成した請求項２記載の施工構造である。
本発明にあっては、隣接する面材の間に設けられる隙間の幅寸法（隣接する面材の対峙する側面の距離）が排水凹部の幅寸法より小さくできるので、隙間の幅寸法の許容誤差を大きくすることが可能となる。
【０００８】
床構造に適用したときに、床の厚み寸法（上下方向の寸法）を薄くできるようにするために請求項４記載の本発明が採用した手段は、前記施工面を床面とし、前記排水凹部を溝状とした請求項１，２又は３記載の施工構造である。
本発明にあっては、溝状の排水凹部の排水勾配を緩やかにして排水凹部に残水しても、残水を積極的に乾燥させて除去できる。
【０００９】
乾燥時間を短くするために請求項５記載の本発明が採用した手段は、排水勾配を設けた前記排水凹部の下流側に、前記排気路を連通させた請求項４記載の施工構造である。
本発明にあっては、排水凹部を通過する空気が、排水凹部の下流側へ向かって流れるときに、排水凹部の残水を排水凹部の下流側へ向かって送り出す。
【００１０】
大きな換気口のない壁構造を得るために請求項６記載の本発明が採用した手段は、前記施工面が壁面であり、前記施工表面に前記開口部を分散させた請求項２又は３記載の施工構造である。
本発明にあっては、施工表面に開口部を分散させてあるため、施工空間の空気は最寄りの開口部を介して排出する。
【発明の効果】
【００１１】
請求項１記載の本発明に係る施工構造は、濡れている排水凹部を積極的に乾燥させることで黴の発生を阻止して、排水凹部を奇麗にできる。
請求項２記載の本発明に係る施工構造は、施工空間から排水凹部が見え難くいので見栄えをよくすることがでる。また、覆い部の開口部を形成する側面を積極的に乾燥させて黴びの発生を阻止することで、開口部を奇麗にして見栄えよくできる。
【００１２】
請求項３記載の本発明に係る施工構造は、隣接する面材の隙間の幅寸法誤差を大きくすることが可能となるため、面材の割り付けがし易くなる。
請求項４記載の本発明に係る施工構造は、排水凹部の排水勾配を緩やかにして排水凹部前後端の高低差を小さくすることで、床の厚み寸法を薄くできる。
【００１３】
請求項５記載の本発明に係る施工構造は、排水凹部の残水を積極的に排出して乾燥負荷を低減することで、乾燥時間を短くできる。
請求項６記載の本発明に係る施工構造は、壁面に大きな換気口を設ける必要がなく、見栄えをよくすることができる。
【発明を実施するための最良の形態】
【００１４】
本発明に係る施工構造（以下、「本発明施工構造」と言う。）を図面に示す実施形態に基づいて説明する。
【００１５】
（第１の実施の形態）
図１乃至図６は本発明施工構造の第１の実施の形態を示すものであり、図１は本発明施工構造からなる床構造及び壁構造を用いた部屋構造を示すものであり、（Ａ）は正面図、（Ｂ）は（Ａ）の１−Ｂ，１−Ｂ線で断面して拡大した平面図、（Ｃ）は（Ａ）の１−Ｃ，１−Ｃ線で断面して拡大した側面図である。図２は本発明施工構造からなる床構造を示すものであり、（Ａ）は一部破断した平面図、（Ｂ）は排水部の蓋を示す平面図である。図３（Ａ）は図２（Ａ）の３−Ａ，３−Ａ線で断面して拡大した正面図、同図（Ｂ）は図２（Ａ）の３−Ｂ，３−Ｂ線で断面して拡大した正面図、同図（Ｃ）は図２（Ａ）の３−Ｃ，３−Ｃ線で断面して拡大した正面図である。図４（Ａ）は図２（Ａ）の４−Ａ，４−Ａ線で断面して拡大した右側面図、同図（Ｂ）は図２（Ａ）の４−Ｂ，４−Ｂ線で断面して拡大した右側面図である。図５は部屋構造を中間省略して示す拡大正面図であって排水状態を示すものである。図６は部屋構造を中間省略して示す拡大正面図であって排気状態を示すものである。
【００１６】
本例の部屋構造３は、図１に示す如く、本発明施工構造からなる床構造１と、本発明施工構造からなる壁構造２とを備え、浴室の洗い場に適用されたものであり、同図の手前側又は奥側に浴槽が配置される。部屋構造３は，浴室の洗い場以外に、シャワー室，便所又は厨房等の水を使用する部屋に適用することもできる。
【００１７】
前記床構造１は、図１乃至図４に示す如く、室内面である床面（施工表面）１ａを形成する面材である床材７の裏面側に排水凹部５を設け、排水凹部５へ通じる開口部８を床面１ａに開口し、排水凹部５に排水路１０及び排気路１２を連通させ、排水凹部５を通じて排水及び排気ができるようになっている。床材７は、防水パンからなる下地部６に敷設され、陶磁器タイル，石材，樹脂製又は金属製の化粧板等の板材が選択される。床材７は、後述する下地部６の主溝５ａ及び副溝５ｂで囲まれた床材敷設部６ａ（図２（Ａ）参照）に接着又は着脱自在に接合される。下地部６は、ＦＲＰ（繊維強化プラスチック）やステンレス鋼板から成形され、溝状の排水凹部５が設けられている。
【００１８】
上記開口部８は、隣接する床材７，７の間に形成した隙間からなり、排水凹部５は、この隙間（開口部８）の裏側に位置している。このように、床構造１は、床材間の隙間（開口部８）と排水凹部５の位置が合致するため、隙間（開口部８）を介して室内（施工空間）Ｒから排水凹部５へ行われる排水や排気を円滑にできると共に、室内Ｒ側から隙間（開口部８）を介して排水凹部５を見え難くして見栄えよくできる。
【００１９】
前記排水凹部５となる凹溝は、隣接する床材７，７の間の隙間（開口部８）の裏側に位置する主溝５ａと副溝５ｂからなり、主溝５ａが一方の方向（図２（Ａ）中の左右方向）へ筋状に延び、副溝５ｂが他方の方向（同図中の前後方向）へ延びて主溝５ａへ通じるようになっている。室内（施工空間）Ｒ側から溝５ａ，５ｂを更に見え難くするために、隙間（開口部８）の短手方向に沿う幅寸法Ａを溝５ａ，５ｂの短手方向に沿う各幅寸法Ｂａ，Ｂｂ（図３（Ｂ）及び図４（Ａ）参照）より小さくしてある。隙間（開口部８）の短手方向に沿う幅寸法Ａについては、０．５ｍｍ＜Ａ＜３．０ｍｍ（好ましくは、１ｍｍ＜Ａ＜２ｍｍ）とすると共に、床材７の厚みＴについては、３ｍｍ＜Ｔ＜１０ｍｍ（好ましくは、４ｍｍ＜Ｔ＜６ｍｍ）とすることにより、室内Ｒ側から隙間（開口部８）を介して溝５ａ，５ｂを認識することが、より困難となるようにしてある。前記排水凹部５の主溝５ａ及び副溝５ｂは、図示は省略したが、架台に載設したセンメント板や樹脂板等からなる下地板に凹設して形成することも可能である。床材７は、溝５ａ，５ｂの開口部へ張り出す部分が、溝５ａ，５ｂを覆う覆い部となる。
【００２０】
前記床構造１は、隣接する床材７，７の間に設けられる隙間（開口部８）の幅寸法Ａ（隣接する床材７，７の対峙する側面の距離）が排水凹部５の幅寸法Ｂａ，Ｂｂ（図３（Ｂ），図４（Ａ）参照）より小さくできるので、隙間（開口部８）の幅寸法Ａの許容誤差を大きくすることが可能となり、床材７の割り付けがし易くなる。
【００２１】
前記下地部６は、図１乃至図３に示す如く、その側縁又は適所に、外側の壁パネル載置部６ｂと内側の集合用溝６ｃを並設してある。集合用溝６ｃは、主溝５ａ及び前後側の副溝５ｂが繋がって排水や排気が円滑に行われるようになっている。集合用溝６ｃは、壁パネル載置部６ｂに載置して建て込んだ壁構造２（壁パネル）で覆われている。前記下地部６は、側縁寄り等の適所に、集合用凹部６ｄが設けられ、集合用溝６ｃから集合用凹部６ｄへ排水が流れ込むようになっていると共に、集合用溝６ｃに一部の主溝５ａ及び副溝５ｂが繋がっている。集合用凹部６ｄは、底部に配設した排水トラップ１１を介して排水路１０へ連通し、排水凹部５（５ａ，５ｂ）を通過した排水を集合させて排水路１０へ排出するようにしてある。また、集合用凹部６ｄは、排気路１２に連通し、排水凹部５（５ａ，５ｂ）を通過した排気を集合させて排気路１２へ排気するようにしてある。集合用凹部６ｄは、着脱自在な蓋９で覆われる。蓋９は、基盤９ａに床材７，７，…を固定したものであり、床材７，７の間に隙間からなる開口部８（図２（Ａ）参照）を形成し、開口部８が集合用凹部６ｄへ通じるようにしてある。蓋９は、図示は省略したが、ステンレススチール製板に複数個の通水孔を穿設したものに置換することも勿論可能である。
【００２２】
前記排水凹部５は、各主溝５ａ及び副溝５ｂに排水勾配を設けると共に、その下流側を排気路１２へ連通させることで、通過する空気が下流側へ向かって流れるときに、水滴状態等で残留している残水を下流側へ向かって積極的に送り出すようにしてある。同様に前記集合用溝６ｃは、排水勾配を設けると共に、その下流側を排気路１２へ連通させることで、通過する空気が下流側へ向かって流れるときに、水滴状態等で残留している残水を下流側へ向かって積極的に送り出すようにしてある。前記排水凹部５及び集合用溝６ｃは、床の厚み寸法（上下方向の寸法）を薄くするために、排水勾配を緩やかにして残水が生じ易くなっても、通過する空気（排気）で残水を積極的に乾燥させて除去できる。
【００２３】
なお、床構造１は、図示は省略したが、床面１ａの全体に分散させた排水凹部５を省略し、床面１ａの局所に凹設した集合用凹部６ｄを排水凹部とし、排水凹部６ｄに排気路１２及び排水路１０を連通させた態様とすることも勿論可能である。
【００２４】
前記壁構造２は、図１に示す如く、壁パネル等からなり、室内（施工空間）Ｒに面する壁面（施工表面）２ａを形成する面材である壁材１８の裏面側に排水凹部１６を設け、壁面２ａに開口する開口部１９で室内Ｒと排水凹部１６を連通させてある。排水凹部１６は、床構造１を介して排水路１０に連通すると共に排気路２０に連通するようにして、水や空気がその内部を通過して排水や排気を行うようになっている。排水凹部１６は、ＦＲＰ（繊維強化プラスチック）やステンレス鋼板から成形され下地部１７に設けられている。壁材１８は、前記床材７と同様に、陶磁器タイル等の板材が選択される。
【００２５】
上記開口部１９は、隣接する壁材１８，１８の間に形成した隙間からなり、排水凹部１６は、この隙間（開口部１９）の裏側に位置している。このように、壁構造２は、壁材間の隙間（開口部１９）と排水凹部１６の位置が合致するため、隙間（開口部１９）を介して室内（施工空間）Ｒから排水凹部１６へ行われる排水や排気を円滑にできると共に、室内Ｒ側から隙間（開口部１９）を介して排水凹部１６を見え難くして見栄えよくできる。本例の壁構造２は、壁パネルに組み立てられ、施工現場において、前記床構造１を構成する下地部６の壁パネル載置部６ｂに載置して建て込んである。
【００２６】
前記排水凹部１６は、隣接する壁材１８，１８の間にの隙間（開口部１９）の裏側に位置する主溝１６ａと副溝１６ｂが設けられ、主溝１６ａが縦方向へ筋状に延び、副溝１６ｂが横方向へ延びて主溝１６ａへ通じるようになっている。排水凹部１６は、各主溝１６ａの上端側を集合通路１６ｃに連通させると共に、集合通路１６ｃを介して排気路２０へ連通させてある。室内Ｒ側から溝１６ａ，１６ｂを更に見え難くするために、前記床構造１と同様に、図１（Ｂ）（Ｃ）に示す如く、壁材１８，１８の間にの隙間（開口部１９）の短手方向に沿う幅寸法Ａを溝１６ａ，１６ｂの短手方向に沿う各幅寸法Ｂａ，Ｂｂより小さくしてある。隙間（開口部１９）の短手方向に沿う幅寸法Ａについては、０．５ｍｍ＜Ａ＜３．０ｍｍ（好ましくは、１ｍｍ＜Ａ＜２ｍｍ）とすると共に、壁材１８の厚みＴについては、３ｍｍ＜Ｔ＜１０ｍｍ（好ましくは、４ｍｍ＜Ｔ＜６ｍｍ）とすることにより、室内Ｒ側から隙間（開口部１９）を介して溝１６ａ，１６ｂを認識することが、より困難となるようにしてある。壁材１８は、溝１６ａ，１６ｂの開口部へ張り出す部分が、溝１６ａ，１６ｂを覆う覆い部となる。
【００２７】
前記排水凹部１６は、前記床構造１を構成する下地部６の集合用凹部６ｃに通じるようになっており、床構造１の排水凹部５を介して前記排水路１０へ排水できるようにしてある。なお、排水凹部１６は、その下端側に専用の排出口（図示略）を設けて排水凹部５の連通を断ち、バイパス配管等を介して排水路１０に連通させることもある。
【００２８】
前記壁構造２は、隣接する壁材１８，１８の間に設けられる隙間（開口部１９）の幅寸法Ａ（隣接する壁材１８，１８の対峙する側面の距離）が排水凹部１６の幅寸法Ｂａ，Ｂｂ（図１参照）より小さくできるので、隙間（開口部１９）の幅寸法Ａの許容誤差を大きくすることが可能となり、壁材１８の割り付けがし易くなる。
【００２９】
前記壁構造２は、上下方向の全域に排水凹部１６及び開口部１９を設ける以外に、上半領域又は下半領域の一方のみに排水凹部１６及び開口部１９を設けることも可能である。排水凹部１６を設けていない領域については、隣接する壁材１８，１８の間に隙間を形成することなく目地材を充填しておくとよい。
【００３０】
前記床構造１及び壁構造２に備えられている排気路１２，２０は、ダクト１４及び風量調節用ダンパー１３を介して排気ファン１５に接続される。なお、各排気路１２，２０に排気ファン１５を個別に接続することも可能である。
【００３１】
次に、部屋構造３の各動作状態を図面に示す各態様に基づいて説明する。
（排水状態）
図５に示す如く、室内Ｒで掛け湯やシャワーを浴びる等して発生した排水は、床面１ａの開口部８，８，…を介して排水凹部５の主溝５ａ及び副溝５ｂへ浸入する。主溝５ａ及び副溝５ｂへ浸入した排水は、主溝５ａ及び副溝５ｂ、集合用溝６ｃ、集合用凹部６ｄ並びに排水トラップ１１を通過して排水路１０へ排出される。掛け湯やシャワー水が飛散して壁面２ａへ到達したときには、その一部が壁面２ａの開口部１９，１９，…を通過して排水凹部１６の主溝１６ａ及び副溝１６ｂへ浸入し、縦方向の主溝１６ａを流れ落ちて床構造１の集合用溝６ｃを介して集水凹部６ｄへ導かれて排出される。床構造１の開口部８を床面１ａの全体にわたって分散させることで、床面１ａに落ちた水は、近くの開口部８から主溝５ａ又は副溝５ｂへ迅速に排出される。そのため、床面１ａは、大きな排水勾配を設ける必要がなくなり、水平面又は水平面に近い状態にできる。
【００３２】
（排気状態）
図６に示す如く室内（施工空間）Ｒを換気するときには、排気ファン１５を起動させる。部屋構造３の出入口扉（図示略）に設けた換気口や開状態の窓を介して室外から室内Ｒへ供給される換気用空気は、室内Ｒを通過した後に、床構造１の開口部８，８，…を介して排水凹部５の主溝５ａ及び副溝５ｂへ吸い込まれると共に、壁構造２の開口部１９，１９，…を介して排水凹部１６の主溝１６ａ及び副溝１６ｂへ吸い込まれる。床構造１の開口部８，８，…へ吸い込まれた空気は、排水凹部５の主溝５ａ及び副溝５ｂ、集合用溝６ｃ並びに集合用凹部６ｄを通過して排気路１２へ吸引される。また、壁構造２の開口部１９，１９，…へ吸い込まれた空気は、排水凹部１６の主溝１６ａ及び副溝１６並びに集合通路１６ｃを通過して排気路２０へ吸引される。排気路１２及び２０へ吸引された空気は、ダクト１４及び風量調節用ダンパー１３を介して排気ファン１５へ吸引されて、室外へ排出される。床構造１へ吸い込ます排気風量と壁構造２へ吸い込ます排気風量の割合は、対応する風量調節用ダンパー１３の開度を調節して変更することができる。
【００３３】
前記床構造１の各開口部８及び壁構造２の各開口部１９は、室内Ｒから排水凹部５又は１６へ移動する空気が通過するときに、各開口部８，１９の側面を乾燥させて黴びの発生を阻止するので、奇麗にして見栄えよくできる。
【００３４】
前記壁構造２は、壁面２ａに開口する開口部１９を壁面２ａに分散させてあるので、部屋Ｒ内の空気を最寄りの開口部１９へ吸い込まして排出できるので、壁面２ａに大きな換気口を設ける必要がなく、見栄えをよくすることができる。
【００３５】
（第２の実施の形態）
図７は本発明施工構造の第２の実施の形態を示すものであり、（Ａ）は床構造２１の一部を拡大すると共に床材７の一部を破断して示す平面図、（Ｂ）は（Ａ）の７−Ｂ，７−Ｂ線で断面した側面図、（Ｃ）は壁構造２２の一部を拡大すると共に壁材１８の一部を破断して示す正面図、（Ｄ）は（Ｃ）の７−Ｄ，７−Ｄ線で断面した平面図である。本実施の形態に係る床構造２１が前記第１の実施の形態に係る床構造１と大きく相違する点は、排水凹部５を主溝５ａのみで形成すると共に、主溝５ａへ通じて床面２１ａに開口する開口部２８を、床材７（主溝５ａを覆う覆い部となる）に穿設した複数の貫通孔７ａで形成したことである。この相違点以外の床構造２１の構成は、前記第１の実施の形態に係る床構造１と実質的に同一である。
【００３６】
また、本実施の形態に係る壁構造２２が前記第１の実施の形態に係る壁構造２と大きく相違する点は、排水凹部１６を主溝１６ａのみで形成すると共に、主溝１６ａへ通じて壁面２２ａに開口する開口部２９を、壁材１８（主溝１６ａを覆う覆い部となる）に穿設した複数の貫通孔１８ａで形成したことである。この相違点以外の壁構造２２の構成は、前記第１の実施の形態に係る壁構造２と実質的に同一である。これら床構造２１及び壁構造２２と、ダクト１４（図１参照），風量調節用ダンパー１３及び排気ファン１５とを用いて部屋（図示略）が構築される。
【００３７】
なお、図示は省略したが、排水凹部５を主溝５ａ及び副溝５ｂで形成し、主溝５ａ及び副溝５ｂを覆う床材７に貫通孔７ａを設けることも勿論可能である。更に、排水凹部１６を主溝１６ａ及び副溝１６ｂで形成し、主溝１６ａ及び副溝１６ｂを覆う壁材１８に貫通孔１８ａを設けることも勿論可能である。
【００３８】
（第３の実施の形態）
図８は本発明施工構造の第３の実施の形態を示すものであり、（Ａ）は床構造３１の一部を拡大して示す平面図、（Ｂ）は（Ａ）の８−Ｂ，８−Ｂ線で断面した側面図、（Ｃ）は壁構造３２の一部を拡大して示す正面図、（Ｄ）は（Ｃ）の８−Ｄ，８−Ｄ線で断面した平面図である。本実施の形態に係る床構造３１が前記第１の実施の形態に係る床構造１と大きく相違する点は、排水凹部５を主溝５ａのみで形成すると共に、排水凹部５を覆う覆い部６ｅ，６ｅを下地部６と一体に形成し、覆い部６ｅ，６ｅの間に設けた開口部３８で排水凹部５と床面３１ａを連通させたことである。この相違点以外の床構造３１の構成は、前記第１の実施の形態に係る床構造１と実質的に同一である。
【００３９】
また、本実施の形態に係る壁構造３２が前記第１の実施の形態に係る壁構造２と大きく相違する点は、排水凹部１６を主溝１６ａのみで形成すると共に、排水凹部１６を覆う覆い部１７ｅ，１７ｅを下地部１７と一体に形成し、覆い部１７ｅ，１７ｅの間に設けた開口部３９で排水凹部１６と壁面３２ａとを連通させたことである。この相違点以外の壁構造３２の構成は、前記第１の実施の形態に係る壁構造２と実質的に同一である。これら床構造３１及び壁構造３２と、ダクト１４（図１参照），風量調節用ダンパー１３及び排気ファン１５を用いて部屋（図示略）が構築される。
【００４０】
なお、図示は省略したが、排水凹部５を主溝５ａ及び副溝５ｂで形成し、主溝５ａ及び副溝５ｂを、開口部３８を間に設けた覆い部６ｅ，６ｅで覆うことも勿論可能である。更に、排水凹部１６を主溝１６ａ及び副溝１６ｂで形成し、主溝１６ａ及び副溝１６ｂを、開口部３９を間に設けた覆い部１７ｅ，１７ｅで覆うことも勿論可能である。
【００４１】
（第４の実施の形態）
図９は本発明施工構造の第４の実施の形態を示すものであり、本発明施工構造を採用した床構造１を用いて構築した床部を示す正面断面図である。本例の床構造１は、前記第１の実施の形態の床構造１（図１〜図６参照）と実質的に同一であり、第１の実施の形態で用いた符号と同一の符号は同一の構成部材等を示すものである。本例の床構造１は、部屋の床部や屋外の床部に用いられる。
【００４２】
（第５の実施の形態）
図１０は本発明施工構造の第５の実施の形態を示すものであり、本発明施工構造を採用した壁構造２を用いて構築した壁部を示す正面断面図である。本例の壁構造２は、前記第１の実施の形態の壁構造２（図１〜図６参照）と実質的に同一であり、第１の実施の形態で用いた符号と同一の符号は同一の構成部材等を示すものである。本例の壁構造３は、部屋の壁部や屋外の壁部に用いられる。排水凹部１６は、その下端側に、排水路１０を開口１０ａしてある。
【図面の簡単な説明】
【００４３】
【図１】本発明施工構造の第１の実施の形態に係る床構造及び壁構造を用いた部屋構造を示すものであり、（Ａ）は正面図、（Ｂ）は（Ａ）の１−Ｂ，１−Ｂ線で断面して拡大した平面図、（Ｃ）は（Ａ）の１−Ｃ，１−Ｃ線で断面して拡大した側面図である。
【図２】同実施の形態に係る床構造を示すものであり、（Ａ）は一部破断した平面図、（Ｂ）は排水部の蓋を示す平面図である。
【図３】（Ａ）は図２（Ａ）の３−Ａ，３−Ａ線で断面して拡大した右側面図、（Ｂ）は図２（Ａ）の３−Ｂ，３−Ｂ線で断面して拡大した右側面図、（Ｃ）は図２（Ａ）の３−Ｃ，３−Ｃ線で断面して拡大した右側面図である。
【図４】（Ａ）は図２（Ａ）の４−Ａ，４−Ａ線で断面して拡大した右側面図、（Ｂ）は図２（Ａ）の４−Ｂ，４−Ｂ線で断面して拡大した右側面図である。
【図５】同実施の形態における部屋構造を中間省略して示す拡大正面図であって排水状態を示すものである。
【図６】同実施の形態における部屋構造を中間省略して示す拡大正面図であって排気状態を示すものである
【図７】本発明施工構造の第２の実施の形態を示すものであり、（Ａ）は床構造の一部を拡大すると共に床材の一部を破断して示す平面図、（Ｂ）は（Ａ）の７−Ｂ，７−Ｂ線で断面した側面図、（Ｃ）は壁構造の一部を拡大すると共に壁材の一部を破断して示す正面図、（Ｄ）は（Ｃ）の７−Ｄ，７−Ｄ線で断面した平面図である。
【図８】本発明施工構造の第３の実施の形態を示すものであり、（Ａ）は床構造の一部を拡大して示す平面図、（Ｂ）は（Ａ）の８−Ｂ，８−Ｂ線で断面した側面図、（Ｃ）は壁構造の一部を拡大して示す正面図、（Ｄ）は（Ｃ）の８−Ｄ，８−Ｄ線で断面した平面図である。
【図９】本発明施工構造の第４の実施の形態を示すものであり、本発明施工構造を採用した床構造を用いて構築した床部を示す正面断面図である。
【図１０】本発明施工構造の第５の実施の形態を示すものであり、本発明施工構造を採用した壁構造を用いて構築した壁部を示す正面断面図である。
【符号の説明】
【００４４】
１…床構造、１ａ…床面（施工表面）、２…壁構造、２ａ…壁面（施工表面）、５…排水凹部、５ａ…主溝、５ｂ…副溝、６…下地部、６ｅ…覆い部、７…床材（面材）、７ａ…貫通孔、８…開口部、１０…排水路、１２…排気路、１５…排気フアン、１６…排水凹部、１６ａ…主溝、１６ｂ…副溝、１７…下地部、１７ｅ…覆い部、１８…壁材（面材）、１８ａ…貫通孔、１９…開口部、２０…排気路、２１…床構造、２１ａ…床面（施工表面）、２２…壁構造、２２ａ…壁面（施工表面）、２８…開口部、２９…開口部、３１…床構造、３１ａ…床面（施工表面）、３２…壁構造、３２ａ…壁面（施工表面）、３８…開口部、３９…開口部、Ａ…幅寸法、Ｂａ，Ｂｂ…幅寸法、Ｔ…厚み、Ｒ…室内（施工空間）
【図１】
2005336752.tif 000003
【図２】
2005336752.tif 000004
【図３】
2005336752.tif 000005
【図４】
2005336752.tif 000006
【図５】
2005336752.tif 000007
【図６】
2005336752.tif 000008
【図７】
2005336752.tif 000009
【図８】
2005336752.tif 000010
【図９】
2005336752.tif 000011
【図１０】
2005336752.tif 000012